(57)【要約】【課題】本発明は、タブの一部を押すだけで開口することができるとともに、たまたま意図しない下向きの力が加わっても、簡単に開口しないようになっている缶蓋を提供する。【解決手段】蓋板１の中央に、留め金２で舌片部３Ａの中央に固定され、接合部３Ａ−２から傾斜部３Ａ−３の上端の舌根部３Ａ−１からタブ３が蓋板１の巻締部４より内側で、操作する後方端３Ｆと、タブの中間部に全幅で肉薄部を設け、折り曲げ易くした折れ曲がり部３Ｂがある。タブの前方端３Ｃは、スコア線６で囲まれた開口部７を押す押し開け部があり、反対側に後方端がある。蓋板にはタブを押し下げるような力がたまたま、意図せずに加わった場合でも下がらないように後方端部を支える支持体８と、支持体から折れ曲がり部の間にタブを支える支持用突起５が、蓋板から突出する頂部にある。【選択図】図２
2017165420.tif 000002
【特許請求の範囲】
【請求項１】
巻き締め部において、缶体と接合された蓋板上で、舌根部と連なり舌片状に周囲を抜いた舌片部の中央部で留め金により上記蓋板に固定され、上記蓋板の一部を開口させるためのスコア線で囲まれた開口部を押し開けるための前方端と、上記前方端を上記開口部に押し当てて開口させる操作を行うための後方端があり、上記蓋板の上記巻き締め部より内側に位置するよう構成されたタブを備え、上記タブの前方端と後方端の中間部に、力が加わると上に凸の山形に折れ曲がる折れ曲がり部が設けられているとともに、上記後方端と上記蓋板の上記後方端と対向する部分との間に、上記後方端を上記蓋板方向に押し下げるための隙間が設けられているとともに、上記折れ曲がり部と上記後方端の間に位置し、その位置を支点として上記タブを支持する支持用突起が設けられているとともに、上記支持用突起と上記タブの後方端の間に位置し、上記タブの上部から上記タブを押し下げるような力がたまたま、意図せずに加わった場合でもその位置で上記タブの後方端部を支え、上記タブの後方端部の下方向への変位を阻止する支持体を有することを特徴とする缶蓋
【請求項２】
上記タブの上記留め金で上記蓋板に固定された接合部から上記舌根部まで、上記舌根部に前方に向かう力が加わると倒れるとともに上記後方端が前進することができるように立ち上がり部を有し、上記後方端と上記タブの上記支持体との接触部との距離は、上記後方端が前進する距離よりも小さく設定されているので、上記タブの後方端を前方に押し進めると上記後方端は上記支持体で支持されていない状態となるように構成したことを特徴とする請求項１記載の缶蓋
【請求項３】
上記蓋板に設けられた凸部が上記支持用突起及び上記支持体を構成し、上記凸部の頂部で上記タブが支持されていることを特徴とする請求項１記載の缶蓋
【請求項４】
上記タブは上記留め金で回転できるように固定されているので、上記タブが回転する前は上記支持体上にあり、上記タブを回転させると上記支持体から外れ上記支持用突起上にあるように構成したことを特徴とする請求項１記載の缶蓋
【請求項５】
上記タブに下向きに設けられた凸部が上記支持用突起を構成し、上記蓋板に上記凸部の頂部が支持され、上記蓋板に設けられた凸部が上記支持体を構成し、上記凸部の頂部で上記タブが支持されているように構成したことを特徴とする請求項１記載の缶蓋
【請求項６】
上記タブの後方端を押し下げることができるようにくぼみを上記蓋板に形成するとともに、上記くぼみの前方側端縁が上記支持用突起を構成し、後方側端縁が上記支持体を構成し、上記タブは上記くぼみ部以外が上記蓋板にほぼ隙間なく接するように構成したことを特徴とする請求項１記載の缶蓋
【請求項７】
上記タブの上記留め金で上記蓋板に固定された上記接合部から上記舌根部まで、上記舌根部に前方に向かう力が加わると上記後方端が前進することができるように屈曲部を有し、上記後方端と上記くぼみの後方側端縁との距離は、上記後方端が前進する距離よりも小さく設定されているので、上記タブの後方端を前方に押し進めると、上記後方端は上記後方側端縁で支持されていない状態となるように構成したことを特徴とする請求項６記載の缶蓋
【請求項８】
上記タブの上記折れ曲がり部の後方側に前方に向かう力が加わると、上記折れ曲り部の後方側の位置から上記折れ曲り部の前方側の位置の間で容易に変形し距離を短縮できるように構成したことを特徴とする請求項６記載の缶蓋
【請求項９】
上記タブは上記留め金で回転できるように固定されているので、上記タブの後方端部が回転する前は上記蓋板に支持されるように構成され、上記タブを回転させると上記くぼみ上で上記タブの後方端部が上記くぼみの後方側端縁に支持されないように構成し、上記くぼみの前方側端縁で上記タブが支持されるように構成したことを特徴とする請求項６記載の缶蓋
【請求項１０】
上記タブは上記留め金で上記蓋板の上面をスライドできるように上記舌片部の穴が長穴に形成され、上記舌根部に前方に向かう力が加わると、上記タブは上記留め金を軸に上記長穴をスライドして前進できるように構成したことを特徴とする請求項１及び請求項６記載の缶蓋
【発明の詳細な説明】
【技術分野】
【０００１】
本発明は、開口用として用いられるタブを、高齢者など体力が低下した者でも、指先の簡単な操作で、容易に開口できる缶蓋に関するものである。
【背景技術】
【０００２】
飲料缶等で、リサイクルを向上させるためのステイオンタブ式が、開口しても分離する箇所がないので、ビール缶やジュース缶など多くの飲料缶等に利用されている。
【０００３】
しかし、近年では高齢化が著しいが、体力低下した多くの高齢者等の利用できるような、開口しやすい缶蓋になっていない。
【０００４】
また、美容上で爪を長くしたり付け爪をしたりすると、タブを指先でつまみ上げることが困難である。
【０００５】
前記の体力低下や美容上の対策として、容易にタブを持ち上げることができる機構が、数多く特許文献で開示されている。開示された技術で、代表的な内容を次に示す。
【０００６】
特許文献１には、蓋板の中央部で前方と後方に傾斜して分断するように、一端部から他端部まで狭巾で直線帯状の谷折する折り曲げ部があり、前方部には蓋板との固定部及び蓋板の開口部を押し下げる蓋押し端があり、後方部には指を挿入し操作する穴をあけた起こし部が配設されたタブが開示されている。動作は、前記折り曲げ部を支点にして、起こし部を起こし、指で操作する穴をつかみやすくしてからタブ全体を引き上げるので、指の力が大きく伝わり、蓋押し端が開口部を押して開口することが容易にできる。しかし、タブは起こし部とともに蓋板に張り付いているので、起こし部の穴へ指か爪を挿入することになるが、指を挿入するには指先に体力を必要とし、爪で起こすと爪がはがれる可能性がある。
【０００７】
特許文献２には、蓋板の中央部で固定され、前方には蓋押し端があり、後方端部にはヒンジを備えた第１タブがあり、ヒンジに接合された第２タブが設けられている。操作は、蓋板に張り付いた第２タブを指か爪で起こし上げ、ヒンジを軸に回転し反対側に向けることによって、第１タブの蓋押し端から固定部までの距離よりも固定部から第２タブの力点までの距離が増大するので、梃子の原理で第２タブを引き上げる力が小さくなる。しかし、タブの初期操作は第２タブが蓋板に張り付いているので、指先か爪で引き上げる必要がある。また二重のタブやヒンジを製造するコストが大幅に増加し、組み立てや取り付けが煩雑になる。
【先行技術文献】
【特許文献】
【０００８】
【特許文献１】実用新案登録第３１４１０７９号公報
【特許文献２】特開平８−１１９２７６号公報
【発明の概要】
【発明が解決しようとする課題】
【０００９】
本発明は、上記のような問題点を解決し、タブの一部を押すだけで開口することができるとともに、たまたま意図しない下向きの力が加わっても、簡単に開口しないようになっている缶蓋を提供することを目的とする。
【課題を解決するための手段】
【００１０】
請求項１の発明では、巻き締め部において、缶体と接合された蓋板上で、舌根部と連なり舌片状に周囲を抜いた舌片部の中央部で留め金により上記蓋板に固定され、上記蓋板の一部を開口させるためのスコア線で囲まれた開口部を押し開けるための前方端と、上記前方端を上記開口部に押し当てて開口させる操作を行うための後方端があり、上記蓋板の上記巻き締め部より内側に位置するよう構成されたタブを備え、上記タブの前方端と後方端の中間部に、力が加わると上に凸の山形に折れ曲がる折れ曲がり部が設けられているとともに、上記後方端と上記蓋板の上記後方端と対向する部分との間に、上記後方端を上記蓋板方向に押し下げるための隙間が設けられているとともに、上記折れ曲がり部と上記後方端の間に位置し、その位置を支点として上記タブを支持する支持用突起が設けられているとともに、上記支持用突起と上記タブの後方端の間に位置し、上記タブの上部から上記タブを押し下げるような力がたまたま、意図せずに加わった場合でもその位置で上記タブの後方端部を支え、上記タブの後方端部の下方向への変位を阻止する支持体を有するように構成した
【００１１】
請求項２の発明では、上記タブの上記留め金で上記蓋板に固定された接合部から上記舌根部まで、上記舌根部に前方に向かう力が加わると倒れるとともに上記後方端が前進することができるように立ち上がり部を有し、上記後方端と上記タブの上記支持体との接触部との距離は、上記後方端が前進する距離よりも小さく設定されているので、上記タブの後方端を前方に押し進めると上記後方端は上記支持体で支持されていない状態となるように構成した
【００１２】
請求項３の発明では、上記蓋板に設けられた凸部が上記支持用突起及び上記支持体を構成し、上記凸部の頂部で上記タブが支持されているように構成した
【００１３】
請求項４の発明では、上記タブは上記留め金で回転できるように固定されているので、上記タブが回転する前は上記支持体上にあり、上記タブを回転させると上記支持体から外れ上記支持用突起上にあるように構成した
【００１４】
請求項５の発明では、上記タブに下向きに設けられた凸部が上記支持用突起を構成し、上記蓋板に上記凸部の頂部が支持され、上記蓋板に設けられた凸部が上記支持体を構成し、上記凸部の頂部で上記タブが支持されているように構成した
【００１５】
請求項６の発明では、上記タブの後方端を押し下げることができるようにくぼみを上記蓋板に形成するとともに、上記くぼみの前方側端縁が上記支持用突起を構成し、後方側端縁が上記支持体を構成し、上記タブは上記くぼみ以外が上記蓋板にほぼ隙間なく接するように構成した
【００１６】
請求項７の発明では、上記タブの上記留め金で上記蓋板に固定された上記接合部から上記舌根部まで、上記舌根部に前方に向かう力が加わると上記後方端が前進することができるように屈曲部を有し、上記後方端と上記くぼみの後方側端縁との距離は、上記後方端が前進する距離よりも小さく設定されているので、上記タブの後方端を前方に押し進めると、上記後方端は上記後方側端縁で支持されていない状態となるように構成した
【００１７】
請求項８の発明では、上記タブの上記折れ曲がり部の後方側に前方に向かう力が加わると、上記折れ曲り部の後方側の位置から上記折れ曲り部の前方側の位置の間で容易に変形し距離を短縮できるように構成した
【００１８】
請求項９の発明では、上記タブは上記留め金で回転できるように固定されているので、上記タブの後方端部が回転する前は上記蓋板に支持されるように構成され、上記タブを回転させると上記くぼみ上で上記タブの後方端部が上記くぼみの後方側端縁に支持されないように構成し、上記くぼみの前方側端縁で上記タブが支持されるように構成した
【００１９】
請求項１０の発明では、上記タブは上記留め金で上記蓋板の上面をスライドできるように上記舌片部の穴が長穴に形成され、上記舌根部に前方に向かう力が加わると、上記タブは上記留め金を軸に上記長穴をスライドして前進できるように構成した
【発明の効果】
【００２０】
本発明によれば、この缶蓋では体力的弱者や指の爪にマニキュアや付け爪をほどこした者であっても、押すだけの簡単な操作で安全に開口できる。
【００２１】
さらに、缶を運搬するときなど、タブの上部からタブを押し下げるような力がたまたま、意図せずに加わった場合でもそれだけで開口することがないため、予期しない開口を防ぐことができる。
【図面の簡単な説明】
【００２２】
【図１】実施例１の缶蓋を示す平面図。
【図２】図１のII−II線に沿った断面図。
【図３】動作説明図で、（Ａ）はタブが初期の静止状態を線図で示し、（Ｂ）はタブを操作の結果、前方端が蓋板に当接した状態を線図で示す。
【図４】図１のII−II線に沿った断面図で、操作の途中経過で後方端が支持体を超えて支持されない状態を示す。
【図５】図１のII−II線に沿った断面図で、操作後の状態を示す。
【図６】図２で示すタブの前方端部を直接指で前方に向かって押しながら下方に押して下げ続けた結果、前方端が蓋板に当接した状態を示す。
【図７】図１のII−II線に沿った断面図で、実施例２の後方端部に複数の凹部で滑り止めを施した状態を示す。
【図８】図１のII−II線に沿った断面図で、実施例３の後方端部を斜め上方に折り曲げ部を設けた状態を示す。
【図９】実施例４の缶蓋を示す平面図。
【図１０】実施例４の缶蓋で、開口操作をはじめる位置までタブを回転させた平面図。
【図１１】実施例５の缶蓋を示す平面図。
【図１２】図１１のIII−III線に沿った断面図。
【図１３】図１１のIII−III線に沿った断面図で、操作後の状態を示す。
【図１４】図１１のIII−III線に沿った断面図で、実施例６の折れ曲がり部の前後に山形の肉薄部がある状態を示す。
【図１５】実施例７の缶蓋を示す平面図。
【図１６】実施例７の缶蓋で、開口操作をはじめる位置までタブを回転させた平面図。
【図１７】実施例８の缶蓋を示す平面図。
【図１８】図１７のIV−IV線に沿った断面図で、タブが長穴をスライドして前進する前の状態を示す。
【図１９】図１７のIV−IV線に沿った断面図で、タブが長穴をスライドして前進した後の状態を示す。
【発明を実施するための形態】
【実施例１】
【００２３】
本発明の実施例１を、図１と図２を用いて説明をする。
【００２４】
図において、１は巻き締め部４において缶体１００と接合された蓋板、３は蓋板１の略中央部に取り付けられたタブで、タブ３に、舌根部３Ａ−１を残して打ち抜きにより形成された舌片部３Ａの中央部で留め金２により蓋板１の中央部に固定されている。タブ３の舌片部３Ａには、留め金２により蓋板１に固定された接合部３Ａ−２から舌根部３Ａ−１まで立ち上がる傾斜部３Ａ−３が形成されている。タブ３の前方端３Ｃは、蓋板１の一部を開口させるためのスコア線６で囲まれた開口部７を押し開けるための押し開け部となる。３Ｆは押し開け部となる前方端３Ｃを開口部７に押し当てて開口させる操作を行うための後方端であり、後方端３Ｆを蓋板１に向かって押し下げることができるように、蓋板１との間に一定の隙間ができるようにタブ３が取り付けられている。タブ３の中間部には、力が加わると上に凸の山形に折れ曲がるように全幅にわたって肉薄部を設けることにより形成した折れ曲がり部３Ｂが設けられている。５は折れ曲がり部３Ｂと後方端３Ｆの間に位置するように蓋板１に設けられ、その頂部でタブ３を支持する山形の支持用突起、８は支持用突起５とタブ３の後方端３Ｆの間に設けられ、タブ３の上部からタブ３を押し下げるような力がたまたま、意図せずに加わった場合でもその頂部でタブ３の後方端部を支え、タブ３の後方端部の下方向への変位を阻止する山形の支持体で、蓋板１に設けられている。
【００２５】
次に、タブ３が、蓋板１の開口部７を、開口させる動作について説明する。
【００２６】
図１と図２で示すタブ３の後方端３Ｆを指で蓋板１に向かって押すとともに、前方に向かって押し進めると、支持用突起５の頂部と、支持体８の頂部に支えられているタブ３が滑り前進する。タブ３が前進すると同時に、舌根部３Ａ−１に前方へ向かう力が掛かり、傾斜部３Ａ−３が倒れやすい前傾姿勢になっているので、接合部３Ａ−２から前方端３Ｃまでが前方へ下がりながら前進し、前方端３Ｃが蓋板１に当接する。このように前方端３Ｃが下がりながら進むと、折れ曲がり部３Ｂから前方端３Ｃまでが折れ曲がって下り傾斜になるとともに、折れ曲がり部３Ｂから後方端３Ｆまでが支持用突起５の頂部と支持体８の頂部を滑って前進する。後方端３Ｆと、タブ３の支持体８との接触部との距離は、前方端３Ｃが蓋板に当接するまでに後方端３Ｆが前進する距離よりも小さくしてあるので、タブ３の後方端を前方に押し進めると、後方端３Ｆは支持体８の頂部よりも前方に達し、支持体８で支持されていない状態となる。
【００２７】
図３は前記の動作説明図である。（Ａ）はタブが初期の静止状態を示す。（Ｂ）はタブの前方端３Ｃが下がりながら前進して蓋板１に当接した状態を示す。接合部３Ａ−２から舌根部３Ａ−１までの傾斜部３Ａ−３と舌根部３Ａ−１から前方端３Ｃまでが下がりながら前進するので、前方端３Ｃから折れ曲がり部３Ｂまでが前進しながら下り傾斜となる。前方端３Ｃが蓋板１に当接した時点での折れ曲がり部３Ｂが前進した移動距離をＭとすると、後方端３Ｆが前進する距離もＭとなる。前述したように、後方端３Ｆと、タブ３の支持体８との接触部との距離ＬはＭより小さくしてあるので、タブ３の後方端を前方に押し進め前方端が蓋板に当接するところまで達すると、後方端３Ｆは支持体８の頂部よりも前方に達し支持体８で支持されていない状態となる。
【００２８】
図４は後方端３Ｆが前進し支持体８によって支持されていない状態を示すものであり、後方端３Ｆを対向する蓋板１に向かって押し下げることができる。
【００２９】
後方端３Ｆが支持体８の頂部の前方まで前進すると、引き続き後方端３Ｆを蓋板に向かって押す力を加える。このように力を加えると梃子の原理で折れ曲がり部３Ｂの後方にある部分は、支持用突起５の頂部を前方に向かって滑り、凸の山形の頂部になっている折れ曲がり部３Ｂが上昇する。折れ曲がり部３Ｂが上昇すると、前方端３Ｃは接合部３Ａ−２から前方に向かって下がりながら前進する。さらに後方端３Ｆを押し進めると、折れ曲がり部３Ｂがさらに尖った山形を形成しながら押し上げられ、前方端３Ｃは下がりながら前進が進み、前方端３Ｃが蓋板１に開口用スコア線６が破断部範囲として切り込まれている内側を押し下げることで、開口部７が図５で示すように開口する。
【００３０】
次に、後方端３Ｆが支持体８で支持されていない状態にする別の方法を説明する。
【００３１】
図２で示す舌根部３Ａ−１に、指で直接前方に向かって押し進める力を加えると、接合部３Ａ−２から前方端３Ｃまで下がりながら前進し、蓋板１に当接した結果図６で示す状態となる。この動作を詳しく説明すると、舌根部３Ａ−１を前方へ押し進めると、接合部３Ａ−２から傾斜部３Ａ−３の前傾姿勢がさらに強まる方向に進み、前方端３Ｃが下がりながら前進する。当初蓋板１に略平行のタブ３は、支持用突起５の頂部を滑って前方端３Ｃが蓋板１に当接するまで下がるとともに、後方端３Ｆは前進しながら上昇する。上昇した後方端３Ｆに下向きの力を加えれば、折れ曲がり部３Ｂで折れ曲がり、後方端３Ｆを支持体８の頂部の高さになるまで押し下げると、タブ３は前記動作説明図の図３（Ｂ）に示す状態と同じになり、後方端３Ｆが支持体８で支持されていない状態となり、蓋板を開口させるまでは前記の実施例における説明と同じである。
【００３２】
この実施例では、蓋板から突出した支持用突起５でタブ３を支持しているが、タブ３側から下向きに支持用突起を設けてもよい
【実施例２】
【００３３】
実施例２を図７を用いて説明する。この実施例では、タブ３の長さ方向に対して直交する複数の溝３Ｇを設け滑り止めを施したので、操作による力が効率的に伝わる。
【００３４】
実施例２では、タブ３の後方端部の上面に溝３Ｇを設けたが、溝３Ｇのかわりに複数の貫通穴を設け滑り止めとしてもよい。
【実施例３】
【００３５】
実施例３を図８を用いて説明する。この実施例では、タブ３の後方部に概ね６０度上向きに折り曲げて形成した折り曲げ部３Ｆ−１を設けてある。タブ３の折り曲げ部３Ｆ−１の先端の高さは、巻き締め部４の高さを超えないように構成されている。このように、タブ３の折り曲げ部３Ｆ−１が斜め上方に向いているので、タブ３の折り曲げ部３Ｆ−１の先端を指の腹で下向きに押すことができ、操作による力が効率的に伝わる。また運搬作業などで巻き締め部４の上端部を、たまたま水平に通過する物体と接する恐れもない。
【実施例４】
【００３６】
実施例４を図９を用いて説明する。この実施例では、前記図１のタブ３が留め金２を軸に時計方向に９０度回転したのと同じような構造にしてある。蓋板１に設けた支持体８はタブ３の後方端部を支持しているが、支持用突起５と開口部７は図１の実施例と同じ位置にあり、支持用突起５はタブ３を支持していない。舌片部３Ａは留め金２を軸に回転できるよう蓋板１に固定されているので、タブ３の後方端部をタブ３の幅方向に押すと回転できるように構成されている。
【００３７】
図９と図１０を用いて動作を説明する。図９のタブ３を反時計方向に９０度回転させると図１０に示す状態になる。後方端３Ｆは、意図せずに下がるのを防ぐための支持体８で支持されていない状態になり、梃子の支点になる支持用突起５がタブ３を支持する状態になるように構成した。支持体８がタブ３の後方端部を支持していないので、後方端３Ｆを対向する蓋板１に向かって押し下げることができる。後方端３Ｆを押し下げると、タブ３は支持用突起５の頂部を支点に折れ曲がり部３Ｂが凸の山形の頂部となって上昇しはじめ、引き続き後方端３Ｆを押し下げるとともに前方に押し進めると、開口部７が前記図５を用いて説明した動作と同様の動作で開口する。
【実施例５】
【００３８】
実施例５を図１１と図１２を用いて説明する。この実施例では、タブ４３が蓋板４１の上面にほぼ接するようになっている。
【００３９】
図において、４１は巻き締め部４４において缶体１００と接合された蓋板、４３は蓋板４１の略中央部に取り付けられたタブで、舌根部４３Ａ−１を残して打ち抜きにより形成された舌片部４３Ａの中央部で留め金４２により蓋板４１の中央部に固定されている。タブ４３の舌片部４３Ａには、留め金４２により蓋板４１に固定された接合部４３Ａ−２から舌根部４３Ａ−１までへの字状に折り曲げた屈曲部４３Ａ−４が形成されている。タブ４３の前方端４３Ｃは、スコア線４６で囲まれた開口部４７を押し開けるための押し開け部となる。後方端４３Ｆが蓋板４１に向かうようにタブ４３の後方端部を押し下げることができるように、蓋板４１にくぼみ部５０を形成し蓋板４１との間に一定の隙間ができるように構成されている。タブ４３の中間部には、力が加わると上に凸の山形に折れ曲がるように全幅にわたって肉薄部を設けることにより形成した折れ曲がり部４３Ｂが設けられている。４５は折れ曲がり部４３Ｂと後方端４３Ｆの間に位置するくぼみ部５０の前方側端縁、４８は前方側端縁４５とタブ４３の後方端４３Ｆの間に位置するくぼみ部５０の後方側端縁である。タブ４３の上部からタブ４３を押し下げるような力がたまたま、意図せずに加わった場合でも後方側端縁４８でタブ４３の後方端部が支えられ、タブ４３の後方端部の下方向への変位が阻止される。
【００４０】
タブ４３はくぼみ部５０以外蓋板４１にほぼ隙間なく接するように構成されている。
【００４１】
次に、タブ４３が蓋板４１の開口部４７を、開口させる動作について説明する。
【００４２】
図１１と図１２で示すタブ４３の後方端部を指で前方に向かって押し進める。タブ４３を前方に押し進めると、舌根部４３Ａ−１に前方に向かう力が掛かり、舌片部４３Ａの屈曲部４３Ａ−４が伸延しながら前方に引かれて、舌根部４３Ａ−１が前進する。したがって、タブ４３の後方端部も舌根部４３Ａ−１が前進した分前進する。後方端４３Ｆと、後方側端縁４８との距離は、タブ４３が前進する距離より小さくなっているので、タブ４３の後方端部を前方に押し進めると、後方端４３Ｆは後方側端縁４８よりも前方に達し、後方側端縁４８で支持されていない状態となり、後方端４３Ｆはくぼみ部５０の底部に向かって下がりうる状態となる。
【００４３】
次に、この状態において後方端４３Ｆをくぼみ部５０の底部に向かって押し下げる力を加える。このように力を加えると、梃子の原理で折れ曲がり部４３Ｂの後方にある部分は、前方側端縁４５を支点に前方に向かって滑るとともに、凸の山形の頂部となって折れ曲がり部４３Ｂが上昇する。折れ曲がり部４３Ｂが上昇すると、前方端４３Ｃがスコア線４６で破断部範囲として切り込まれている内側を押し下げて、開口部４７が図１３で示すように開口する。
【実施例６】
【００４４】
実施例６を図１４を用いて説明する。この実施例では、タブ４３の上面に、折れ曲がり部４３Ｂの前後に山形の肉薄部４３Ｂ−１を設けた以外は、前記実施例５の屈曲部４３Ａ−４を無くした形態と同じである。
【００４５】
次に、タブ４３が開口部４７を、開口させる動作について説明する。
【００４６】
図１４で示す、タブ４３の後方端部を指で前方に向かって押し進めるように力を加える。タブ４３を前方に押し進めるように力を加えると、折れ曲がり部４３Ｂの前後の山形の肉薄部４３Ｂ−１が傘を閉じるように変形するので、山形の肉薄部４３Ｂ−１の両端の間の距離が短縮するので、後方端４３Ｆが前進することになる。後方端４３Ｆと、後方側端縁４８との距離は、後方端４３Ｆが前進する距離より小さくなっているので、タブ４３の後方端部を前方に押し進めると、後方端４３Ｆは後方側端縁４８よりも前方に達し、後方側端縁４８で支持されていない状態となり、後方端４３Ｆはくぼみ部５０の底部に向かって下がりうる状態となる。
【００４７】
次に、この状態において後方端４３Ｆがくぼみ部５０の底部に向かうように押し下げる力を加える。このように力を加えると、梃子の原理で折れ曲がり部４３Ｂの後方にある部分は、前方側端縁４５を支点に前方に向かって滑るとともに、折れ曲がり部４３Ｂが上昇する。折れ曲がり部４３Ｂが上昇すると、前方端４３Ｃがスコア線４６で破断部範囲として切り込まれている内側を押し下げて、開口部４７が図１３で示すように開口する。
【００４８】
この実施例では、折れ曲がり部４３Ｂの前後に山形の肉薄部４３Ｂ−１を設けているが、この肉薄部を山形でなくアーチ状に形成してもよい。
【００４９】
前記の実施例では、折れ曲がり部４３Ｂの肉薄部を山形やアーチ状に形成しているが、上記肉薄部をタブ４３の上面と同一面に設けてもよく、あるいはタブ４３の下面と同一面に設けてもよい。
【実施例７】
【００５０】
実施例７を図１５と図１６を用いて説明する。この実施例では、舌片部４３Ａは留め金４２を軸に回転できるよう蓋板４１に固定されているので、タブ４３の後方端部をタブ４３の幅方向に押すと回転できるように構成されている。タブ４３は蓋板４１にほぼ隙間なく接するように構成されている。
【００５１】
図１５と図１６で動作を説明する。図１５の状態からタブ４３を反時計方向に９０度回転させると図１６に示す状態になる。この状態では後方端４３Ｆは、後方側端縁４８で支持されていない状態になり、梃子の支点になる前方側端縁４５がタブ４３を支持する状態になる。後方側端縁４８がタブ４３の後方端部を支持していないので、後方端４３Ｆを押し下げると、タブ４３は前方側端縁４５を支点に折れ曲がり部４３Ｂが凸の山形の頂部となって上昇しはじめ、引き続き後方端４３Ｆを押し下げるとともに前方に押し進めると、開口部４７が前記図１３を用いて説明した動作と同様の動作で開口する。
【実施例８】
【００５２】
実施例８を図１７から図１９を用いて説明する。この実施例では、タブ４３は、蓋板４１の上面をスライドできるように舌片部４３Ａに長穴４３Ａ−５が設けられている。初期状態では、図１８で示すようにタブ４３は、長穴４３Ａ−５の後方側に隙間があいた状態になっており、後方端４３Ｆが後方側端縁４８に支持されている。後方端４３Ｆを前方に押すと、タブ４３がスライドして前方へ移動し、図１９に示すように長穴４３Ａ−５の前方側に隙間があいた状態になるまで行くと、後方端４３Ｆが後方側端縁４８で支持されていない状態になり、後方端４３Ｆはくぼみ部５０の底部に向かって下がりうる状態となり、蓋板４１の開口部４７を開口させるまでは、前記で説明した実施例５と同じである。
【産業上の利用可能性】
【００５３】
本発明は、飲料や食品等の缶詰の蓋に関するものである。
【符号の説明】
【００５４】
１、４１  蓋板
２、４２  留め金
３、４３  タブ
３Ａ、４３Ａ  舌片部
３Ａ−１、４３Ａ−１  舌根部
３Ａ−２、４３Ａ−２  接合部
３Ａ−３  傾斜部
３Ｂ、４３Ｂ  折れ曲がり部
３Ｃ、４３Ｃ  前方端
３Ｆ、４３Ｆ  後方端
３Ｆ−１  折り曲げ部
３Ｇ  溝
４、４４  巻き締め部
５  支持用突起
６、４６  スコア線
７、４７  開口部
８  支持体
４３Ａ−４  屈曲部
４３Ａ−５  長穴
４３Ｂ−１  山形の肉薄部
４５  前方側端縁
４８  後方側端縁
５０  くぼみ部
１００  缶体
【図１】
2017165420.tif 000003
【図２】
2017165420.tif 000004
【図３】
2017165420.tif 000005
【図４】
2017165420.tif 000006
【図５】
2017165420.tif 000007
【図６】
2017165420.tif 000008
【図７】
2017165420.tif 000009
【図８】
2017165420.tif 000010
【図９】
2017165420.tif 000011
【図１０】
2017165420.tif 000012
【図１１】
2017165420.tif 000013
【図１２】
2017165420.tif 000014
【図１３】
2017165420.tif 000015
【図１４】
2017165420.tif 000016
【図１５】
2017165420.tif 000017
【図１６】
2017165420.tif 000018
【図１７】
2017165420.tif 000019
【図１８】
2017165420.tif 000020
【図１９】
2017165420.tif 000021
【手続補正書】
【提出日】平成28年6月14日(2016.6.14)
【手続補正１】
【補正対象書類名】明細書
【補正対象項目名】全文
【補正方法】変更
【補正の内容】
【発明の詳細な説明】
【技術分野】
【０００１】
本発明は、開口用として用いられるタブを、高齢者など体力が低下した者でも、指先の簡単な操作で、容易に開口できる缶蓋に関するものである。
【背景技術】
【０００２】
飲料缶等で、リサイクルを向上させるためのステイオンタブ式が、開口しても分離する箇所がないので、ビール缶やジュース缶など多くの飲料缶等に利用されている。
【０００３】
しかし、近年では高齢化が著しいが、体力低下した多くの高齢者等の利用できるような、開口しやすい缶蓋になっていない。
【０００４】
また、美容上で爪を長くしたり付け爪をしたりすると、タブを指先でつまみ上げることが困難である。
【０００５】
前記の体力低下や美容上の対策として、容易にタブを持ち上げることができる機構が、数多く特許文献で開示されている。開示された技術で、代表的な内容を次に示す。
【０００６】
特許文献１には、蓋板の中央部で前方と後方に傾斜して分断するように、一端部から他端部まで狭巾で直線帯状の谷折する折り曲げ部があり、前方部には蓋板との固定部及び蓋板の開口部を押し下げる蓋押し端があり、後方部には指を挿入し操作する穴をあけた起こし部が配設されたタブが開示されている。動作は、前記折り曲げ部を支点にして、起こし部を起こし、指で操作する穴をつかみやすくしてからタブ全体を引き上げるので、指の力が大きく伝わり、蓋押し端が開口部を押して開口することが容易にできる。しかし、タブは起こし部とともに蓋板に張り付いているので、起こし部の穴へ指か爪を挿入することになるが、指を挿入するには指先に体力を必要とし、爪で起こすと爪がはがれる可能性がある。
【０００７】
特許文献２には、蓋板の中央部で固定され、前方には蓋押し端があり、後方端部にはヒンジを備えた第１タブがあり、ヒンジに接合された第２タブが設けられている。操作は、蓋板に張り付いた第２タブを指か爪で起こし上げ、ヒンジを軸に回転し反対側に向けることによって、第１タブの蓋押し端から固定部までの距離よりも固定部から第２タブの力点までの距離が増大するので、梃子の原理で第２タブを引き上げる力が小さくなる。しかし、タブの初期操作は第２タブが蓋板に張り付いているので、指先か爪で引き上げる必要がある。また二重のタブやヒンジを製造するコストが大幅に増加し、組み立てや取り付けが煩雑になる。
【先行技術文献】
【特許文献】
【０００８】
【特許文献１】実用新案登録第３１４１０７９号公報
【特許文献２】特開平８−１１９２７６号公報
【発明の概要】
【発明が解決しようとする課題】
【０００９】
本発明は、上記のような問題点を解決し、タブの一部を押すだけで開口することができるとともに、たまたま意図しない下向きの力が加わっても、簡単に開口しないようになっている缶蓋を提供することを目的とする。
【課題を解決するための手段】
【００１０】
請求項１の発明では、巻き締め部において缶体と結合された蓋板を備え、舌根部と連なり舌片状に周囲を抜いた舌片部の中央部で留め金により上記蓋板に固定され、上記蓋板の一部を開口させるためのスコア線で囲まれた開口部を押し開けるための前方端と、上記前方端を上記開口部に押し当てて開口させる操作を行うための後方端があり、上記蓋板の上記巻き締め部より内側に位置するよう構成されたタブを備え、上記タブの前方端と後方端の中間部に、力が加わると上に凸の山形に折れ曲がる折れ曲がり部が設けられているとともに、上記後方端と上記蓋板の上記後方端と対向する部分との間に、上記後方端を上記蓋板方向に押し下げるための隙間が設けられているとともに、上記折れ曲がり部と上記後方端の間に位置し、その位置を支点として上記タブを支持する支持手段が設けられているとともに、上記支持手段と上記タブの後方端の間に位置し、上記タブの上部から上記タブを押し下げるような力がたまたま、意図せずに加わった場合でもその位置で上記タブの後方端部を支え、上記タブの後方端部の上記蓋板方向への押し下げを阻止する保護手段を有するとともに、上記タブの後方端部を前方に押すことにより上記タブの後方端部が前進可能に構成した
【００１１】
請求項２の発明では、上記留め金で上記蓋板に固定された上記タブの蓋板との結合部から上記舌根部までの部分が、上記舌根部に前方に向かう力が加わると倒れるとともに上記後方端が前進することができるように立ち上がり部を構成し、上記タブの上記後方端から上記保護手段との接触部までの距離は、上記後方端が前進可能な距離よりも小さくなるように構成した
【００１２】
請求項３の発明では、上記タブの一部に、屈曲することによりタブの後方端部の前進を許すための屈曲部を有し、上記タブの後方端と上記保護手段との距離は、上記後方端が前進可能な距離よりも小さくなるように構成した
【００１３】
請求項４の発明では、上記タブは上記蓋板の上面をスライドできるよう上記留め金で固定され、上記タブの後方端と上記保護手段との距離は、上記後方端が前進可能な距離よりも小さくなるように構成した
【００１４】
請求項５の発明では、上記蓋板に設けられた凸部が上記支持手段及び上記保護手段を構成し、上記凸部の頂部で上記タブが支持されているように構成した
【００１５】
請求項６の発明では、上記タブに下向きに設けられた凸部が上記支持手段を構成し、上記蓋板に上記凸部の頂部が支持され、上記蓋板に設けられた凸部が上記保護手段を構成し、上記凸部の頂部で上記タブが支持されているように構成した
【００１６】
請求項７の発明では、上記タブの後方端を押し下げることができるようにくぼみを上記蓋板に形成するとともに、上記くぼみの前方側端縁が上記支持手段を構成し、後方側端縁部が上記保護手段を構成し、上記タブは上記蓋板の上記くぼみ部以外の部分とほぼ隙間なく接し、上記タブの後方端と上記保護手段との距離は、上記後方端が前進可能な距離よりも小さくなるように構成した
【発明の効果】
【００１７】
本発明によれば、この缶蓋では体力的弱者や指の爪にマニキュアや付け爪をほどこした者であっても、押すだけの簡単な操作で安全に開口できる。
【００１８】
さらに、缶を運搬するときなど、タブの上部からタブを押し下げるような力がたまたま、意図せずに加わった場合でもそれだけで開口することがないため、予期しない開口を防ぐことができる。
【図面の簡単な説明】
【００１９】
【図１】実施例１の缶蓋を示す平面図。
【図２】図１のII−II線に沿った断面図。
【図３】動作説明図で、（Ａ）はタブが初期の静止状態を線図で示し、（Ｂ）はタブを操作の結果、前方端が蓋板に当接した状態を線図で示す。
【図４】図１のII−II線に沿った断面図で、操作の途中経過で後方端が支持体を超えて支持されない状態を示す。
【図５】図１のII−II線に沿った断面図で、操作後の状態を示す。
【図６】図２で示すタブの前方端部を直接指で前方に向かって押しながら下方に押して下げ続けた結果、前方端が蓋板に当接した状態を示す。
【図７】図１のII−II線に沿った断面図で、実施例２の後方端部に複数の凹部で滑り止めを施した状態を示す。
【図８】図１のII−II線に沿った断面図で、実施例３の後方端部を斜め上方に折り曲げ部を設けた状態を示す。
【図９】実施例４の缶蓋を示す平面図。
【図１０】図９のIII−III線に沿った断面図。
【図１１】図９のIII−III線に沿った断面図で、操作後の状態を示す。
【図１２】図９のIII−III線に沿った断面図で、実施例５の折れ曲がり部の前後に山形の肉薄部がある状態を示す。
【図１３】実施例６の缶蓋を示す平面図。
【図１４】図１３のIV−IV線に沿った断面図で、タブが長穴をスライドして前進する前の状態を示す。
【図１５】図１３のIV−IV線に沿った断面図で、タブが長穴をスライドして前進した後の状態を示す。
【発明を実施するための形態】
【実施例１】
【００２０】
本発明の実施例１を、図１と図２を用いて説明をする。
【００２１】
図において、１は巻き締め部４において缶体１００と接合された蓋板、３は蓋板１の略中央部に取り付けられたタブで、タブ３に、舌根部３Ａ−１を残して打ち抜きにより形成された舌片部３Ａの中央部で留め金２により蓋板１の中央部に固定されている。タブ３の舌片部３Ａには、留め金２により蓋板１に固定された接合部３Ａ−２から舌根部３Ａ−１まで立ち上がる傾斜部３Ａ−３が形成されている。タブ３の前方端３Ｃは、蓋板１の一部を開口させるためのスコア線６で囲まれた開口部７を押し開けるための押し開け部となる。３Ｆは押し開け部となる前方端３Ｃを開口部７に押し当てて開口させる操作を行うための後方端であり、後方端３Ｆを蓋板１に向かって押し下げることができるように、蓋板１との間に一定の隙間ができるようにタブ３が取り付けられている。タブ３の中間部には、力が加わると上に凸の山形に折れ曲がるように全幅にわたって肉薄部を設けることにより形成した折れ曲がり部３Ｂが設けられている。５は折れ曲がり部３Ｂと後方端３Ｆの間に位置するように蓋板１に設けられ、その頂部でタブ３を支持する山形の支持用突起、８は支持用突起５とタブ３の後方端３Ｆの間に設けられ、タブ３の上部からタブ３を押し下げるような力がたまたま、意図せずに加わった場合でもその頂部でタブ３の後方端部を支え、タブ３の後方端部の下方向への変位を阻止する山形の支持体で、蓋板１に設けられている。
【００２２】
次に、タブ３が、蓋板１の開口部７を、開口させる動作について説明する。
【００２３】
図１と図２で示すタブ３の後方端３Ｆを指で蓋板１に向かって押すとともに、前方に向かって押し進めると、支持用突起５の頂部と、支持体８の頂部に支えられているタブ３が滑り前進する。タブ３が前進すると同時に、舌根部３Ａ−１に前方へ向かう力が掛かり、傾斜部３Ａ−３が倒れやすい前傾姿勢になっているので、接合部３Ａ−２から前方端３Ｃまでが前方へ下がりながら前進し、前方端３Ｃが蓋板１に当接する。このように前方端３Ｃが下がりながら進むと、折れ曲がり部３Ｂから前方端３Ｃまでが折れ曲がって下り傾斜になるとともに、折れ曲がり部３Ｂから後方端３Ｆまでが支持用突起５の頂部と支持体８の頂部を滑って前進する。後方端３Ｆと、タブ３の支持体８との接触部との距離は、前方端３Ｃが蓋板に当接するまでに後方端３Ｆが前進する距離よりも小さくしてあるので、タブ３の後方端を前方に押し進めると、後方端３Ｆは支持体８の頂部よりも前方に達し、支持体８で支持されていない状態となる。
【００２４】
図３は前記の動作説明図である。（Ａ）はタブが初期の静止状態を示す。（Ｂ）はタブの前方端３Ｃが下がりながら前進して蓋板１に当接した状態を示す。接合部３Ａ−２から舌根部３Ａ−１までの傾斜部３Ａ−３と舌根部３Ａ−１から前方端３Ｃまでが下がりながら前進するので、前方端３Ｃから折れ曲がり部３Ｂまでが前進しながら下り傾斜となる。前方端３Ｃが蓋板１に当接した時点での折れ曲がり部３Ｂが前進した移動距離をＭとすると、後方端３Ｆが前進する距離もＭとなる。前述したように、後方端３Ｆと、タブ３の支持体８との接触部との距離ＬはＭより小さくしてあるので、タブ３の後方端を前方に押し進め前方端が蓋板に当接するところまで達すると、後方端３Ｆは支持体８の頂部よりも前方に達し支持体８で支持されていない状態となる。
【００２５】
図４は後方端３Ｆが前進し支持体８によって支持されていない状態を示すものであり、後方端３Ｆを対向する蓋板１に向かって押し下げることができる。
【００２６】
後方端３Ｆが支持体８の頂部の前方まで前進すると、引き続き後方端３Ｆを蓋板に向かって押す力を加える。このように力を加えると梃子の原理で折れ曲がり部３Ｂの後方にある部分は、支持用突起５の頂部を前方に向かって滑り、凸の山形の頂部になっている折れ曲がり部３Ｂが上昇する。折れ曲がり部３Ｂが上昇すると、前方端３Ｃは接合部３Ａ−２から前方に向かって下がりながら前進する。さらに後方端３Ｆを押し進めると、折れ曲がり部３Ｂがさらに尖った山形を形成しながら押し上げられ、前方端３Ｃは下がりながら前進が進み、前方端３Ｃが蓋板１に開口用スコア線６が破断部範囲として切り込まれている内側を押し下げることで、開口部７が図５で示すように開口する。
【００２７】
次に、後方端３Ｆが支持体８で支持されていない状態にする別の方法を説明する。
【００２８】
図２で示す舌根部３Ａ−１に、指で直接前方に向かって押し進める力を加えると、接合部３Ａ−２から前方端３Ｃまで下がりながら前進し、蓋板１に当接した結果図６で示す状態となる。この動作を詳しく説明すると、舌根部３Ａ−１を前方へ押し進めると、接合部３Ａ−２から傾斜部３Ａ−３の前傾姿勢がさらに強まる方向に進み、前方端３Ｃが下がりながら前進する。当初蓋板１に略平行のタブ３は、支持用突起５の頂部を滑って前方端３Ｃが蓋板１に当接するまで下がるとともに、後方端３Ｆは前進しながら上昇する。上昇した後方端３Ｆに下向きの力を加えれば、折れ曲がり部３Ｂで折れ曲がり、後方端３Ｆを支持体８の頂部の高さになるまで押し下げると、タブ３は前記動作説明図の図３（Ｂ）に示す状態と同じになり、後方端３Ｆが支持体８で支持されていない状態となり、蓋板を開口させるまでは前記の実施例における説明と同じである。
【００２９】
この実施例では、蓋板から突出した支持用突起５でタブ３を支持しているが、タブ３側から下向きに支持用突起を設けてもよい
【実施例２】
【００３０】
実施例２を図７を用いて説明する。この実施例では、タブ３の長さ方向に対して直交する複数の溝３Ｇを設け滑り止めを施したので、操作による力が効率的に伝わる。
【００３１】
実施例２では、タブ３の後方端部の上面に溝３Ｇを設けたが、溝３Ｇのかわりに複数の貫通穴を設け滑り止めとしてもよい。
【実施例３】
【００３２】
実施例３を図８を用いて説明する。この実施例では、タブ３の後方部に概ね６０度上向きに折り曲げて形成した折り曲げ部３Ｆ−１を設けてある。タブ３の折り曲げ部３Ｆ−１の先端の高さは、巻き締め部４の高さを超えないように構成されている。このように、タブ３の折り曲げ部３Ｆ−１が斜め上方に向いているので、タブ３の折り曲げ部３Ｆ−１の先端を指の腹で下向きに押すことができ、操作による力が効率的に伝わる。また運搬作業などで巻き締め部４の上端部を、たまたま水平に通過する物体と接する恐れもない。
【実施例４】
【００３３】
実施例４を図９と図１０を用いて説明する。この実施例では、タブ４３が蓋板４１の上面にほぼ接するようになっている。
【００３４】
図において、４１は巻き締め部４４において缶体１００と接合された蓋板、４３は蓋板４１の略中央部に取り付けられたタブで、舌根部４３Ａ−１を残して打ち抜きにより形成された舌片部４３Ａの中央部で留め金４２により蓋板４１の中央部に固定されている。タブ４３の舌片部４３Ａには、留め金４２により蓋板４１に固定された接合部４３Ａ−２から舌根部４３Ａ−１までへの字状に折り曲げた屈曲部４３Ａ−４が形成されている。タブ４３の前方端４３Ｃは、スコア線４６で囲まれた開口部４７を押し開けるための押し開け部となる。後方端４３Ｆが蓋板４１に向かうようにタブ４３の後方端部を押し下げることができるように、蓋板４１にくぼみ部５０を形成し蓋板４１との間に一定の隙間ができるように構成されている。タブ４３の中間部には、力が加わると上に凸の山形に折れ曲がるように全幅にわたって肉薄部を設けることにより形成した折れ曲がり部４３Ｂが設けられている。４５は折れ曲がり部４３Ｂと後方端４３Ｆの間に位置するくぼみ部５０の前方側端縁、４８は前方側端縁４５とタブ４３の後方端４３Ｆの間に位置するくぼみ部５０の後方側端縁である。タブ４３の上部からタブ４３を押し下げるような力がたまたま、意図せずに加わった場合でも後方側端縁４８でタブ４３の後方端部が支えられ、タブ４３の後方端部の下方向への変位が阻止される。
【００３５】
タブ４３はくぼみ部５０以外蓋板４１にほぼ隙間なく接するように構成されている。
【００３６】
次に、タブ４３が蓋板４１の開口部４７を、開口させる動作について説明する。
【００３７】
図９と図１０で示すタブ４３の後方端部を指で前方に向かって押し進める。タブ４３を前方に押し進めると、舌根部４３Ａ−１に前方に向かう力が掛かり、舌片部４３Ａの屈曲部４３Ａ−４が伸延しながら前方に引かれて、舌根部４３Ａ−１が前進する。したがって、タブ４３の後方端部も舌根部４３Ａ−１が前進した分前進する。後方端４３Ｆと、後方側端縁４８との距離は、タブ４３が前進する距離より小さくなっているので、タブ４３の後方端部を前方に押し進めると、後方端４３Ｆは後方側端縁４８よりも前方に達し、後方側端縁４８で支持されていない状態となり、後方端４３Ｆはくぼみ部５０の底部に向かって下がりうる状態となる。
【００３８】
次に、この状態において後方端４３Ｆをくぼみ部５０の底部に向かって押し下げる力を加える。このように力を加えると、梃子の原理で折れ曲がり部４３Ｂの後方にある部分は、前方側端縁４５を支点に前方に向かって滑るとともに、凸の山形の頂部となって折れ曲がり部４３Ｂが上昇する。折れ曲がり部４３Ｂが上昇すると、前方端４３Ｃがスコア線４６で破断部範囲として切り込まれている内側を押し下げて、開口部４７が図１１で示すように開口する。
【実施例５】
【００３９】
実施例５を図１２を用いて説明する。この実施例では、タブ４３の上面に、折れ曲がり部４３Ｂの前後に山形の肉薄部４３Ｂ−１を設けた以外は、前記実施例４の屈曲部４３Ａ−４を無くした形態と同じである。
【００４０】
次に、タブ４３が開口部４７を、開口させる動作について説明する。
【００４１】
図１２で示す、タブ４３の後方端部を指で前方に向かって押し進めるように力を加える。タブ４３を前方に押し進めるように力を加えると、折れ曲がり部４３Ｂの前後の山形の肉薄部４３Ｂ−１が傘を閉じるように変形するので、山形の肉薄部４３Ｂ−１の両端の間の距離が短縮するので、後方端４３Ｆが前進することになる。後方端４３Ｆと、後方側端縁４８との距離は、後方端４３Ｆが前進する距離より小さくなっているので、タブ４３の後方端部を前方に押し進めると、後方端４３Ｆは後方側端縁４８よりも前方に達し、後方側端縁４８で支持されていない状態となり、後方端４３Ｆはくぼみ部５０の底部に向かって下がりうる状態となる。
【００４２】
次に、この状態において後方端４３Ｆがくぼみ部５０の底部に向かうように押し下げる力を加える。このように力を加えると、梃子の原理で折れ曲がり部４３Ｂの後方にある部分は、前方側端縁４５を支点に前方に向かって滑るとともに、折れ曲がり部４３Ｂが上昇する。折れ曲がり部４３Ｂが上昇すると、前方端４３Ｃがスコア線４６で破断部範囲として切り込まれている内側を押し下げて、開口部４７が図１１で示すように開口する。
【００４３】
この実施例では、折れ曲がり部４３Ｂの前後に山形の肉薄部４３Ｂ−１を設けているが、この肉薄部を山形でなくアーチ状に形成してもよい。
【００４４】
前記の実施例では、折れ曲がり部４３Ｂの肉薄部を山形やアーチ状に形成しているが、上記肉薄部をタブ４３の上面と同一面に設けてもよく、あるいはタブ４３の下面と同一面に設けてもよい。
【実施例６】
【００４５】
実施例６を図１３から図１５を用いて説明する。この実施例では、タブ４３は、蓋板４１の上面をスライドできるように舌片部４３Ａに長穴４３Ａ−５が設けられている。初期状態では、図１４で示すようにタブ４３は、長穴４３Ａ−５の後方側に隙間があいた状態になっており、後方端４３Ｆが後方側端縁４８に支持されている。後方端４３Ｆを前方に押すと、タブ４３がスライドして前方へ移動し、図１５に示すように長穴４３Ａ−５の前方側に隙間があいた状態になるまで行くと、後方端４３Ｆが後方側端縁４８で支持されていない状態になり、後方端４３Ｆはくぼみ部５０の底部に向かって下がりうる状態となり、蓋板４１の開口部４７を開口させるまでは、前記で説明した実施例５と同じである。
【産業上の利用可能性】
【００４６】
本発明は、飲料や食品等の缶詰の蓋に関するものである。
【符号の説明】
【００４７】
１、４１  蓋板
２、４２  留め金
３、４３  タブ
３Ａ、４３Ａ  舌片部
３Ａ−１、４３Ａ−１  舌根部
３Ａ−２、４３Ａ−２  接合部
３Ａ−３  傾斜部
３Ｂ、４３Ｂ  折れ曲がり部
３Ｃ、４３Ｃ  前方端
３Ｆ、４３Ｆ  後方端
３Ｆ−１  折り曲げ部
３Ｇ  溝
４、４４  巻き締め部
５  支持用突起
６、４６  スコア線
７、４７  開口部
８  支持体
４３Ａ−４  屈曲部
４３Ａ−５  長穴
４３Ｂ−１  山形の肉薄部
４５  前方側端縁
４８  後方側端縁
５０  くぼみ部
１００  缶体
【手続補正２】
【補正対象書類名】特許請求の範囲
【補正対象項目名】全文
【補正方法】変更
【補正の内容】
【特許請求の範囲】
【請求項１】
巻き締め部において缶体と結合された蓋板を備え、舌根部と連なり舌片状に周囲を抜いた舌片部の中央部で留め金により上記蓋板に固定され、上記蓋板の一部を開口させるためのスコア線で囲まれた開口部を押し開けるための前方端と、上記前方端を上記開口部に押し当てて開口させる操作を行うための後方端があり、上記蓋板の上記巻き締め部より内側に位置するよう構成されたタブを備え、上記タブの前方端と後方端の中間部に、力が加わると上に凸の山形に折れ曲がる折れ曲がり部が設けられているとともに、上記後方端と上記蓋板の上記後方端と対向する部分との間に、上記後方端を上記蓋板方向に押し下げるための隙間が設けられているとともに、上記折れ曲がり部と上記後方端の間に位置し、その位置を支点として上記タブを支持する支持手段が設けられているとともに、上記支持手段と上記タブの後方端の間に位置し、上記タブの上部から上記タブを押し下げるような力がたまたま、意図せずに加わった場合でもその位置で上記タブの後方端部を支え、上記タブの後方端部の上記蓋板方向への押し下げを阻止する保護手段を有するとともに、上記タブの後方端部を前方に押すことにより上記タブの後方端部が前進可能に構成されていることを特徴とする缶蓋
【請求項２】
上記留め金で上記蓋板に固定された上記タブの蓋板との結合部から上記舌根部までの部分が、上記舌根部に前方に向かう力が加わると倒れるとともに上記後方端が前進することができるように立ち上がり部を構成し、上記タブの上記後方端から上記保護手段との接触部までの距離は、上記後方端が前進可能な距離よりも小さく設定したことを特徴とする請求項１記載の缶蓋
【請求項３】
上記タブの一部に、屈曲することによりタブの後方端部の前進を許すための屈曲部を有し、上記タブの後方端と上記保護手段との距離は、上記後方端が前進可能な距離よりも小さく設定したことを特徴とする請求項１記載の缶蓋
【請求項４】
上記タブは上記蓋板の上面をスライドできるよう上記留め金で固定され、上記タブの後方端と上記保護手段との距離は、上記後方端が前進可能な距離よりも小さく設定したしたことを特徴とする請求項１記載の缶蓋
【請求項５】
上記蓋板に設けられた凸部が上記支持手段及び上記保護手段を構成し、上記凸部の頂部で上記タブが支持されていることを特徴とする請求項１記載の缶蓋
【請求項６】
上記タブに下向きに設けられた凸部が上記支持手段を構成し、上記蓋板に上記凸部の頂部が支持され、上記蓋板に設けられた凸部が上記保護手段を構成し、上記凸部の頂部で上記タブが支持されているように構成したことを特徴とする請求項１記載の缶蓋
【請求項７】
上記タブの後方端を押し下げることができるようにくぼみを上記蓋板に形成するとともに、上記くぼみの前方側端縁が上記支持手段を構成し、後方側端縁部が上記保護手段を構成し、上記タブは上記蓋板の上記くぼみ部以外の部分とほぼ隙間なく接し、上記タブの後方端と上記保護手段との距離は、上記後方端が前進可能な距離よりも小さく設定したことを特徴とする請求項１記載の缶蓋
【手続補正３】
【補正対象書類名】図面
【補正対象項目名】全図
【補正方法】変更
【補正の内容】
【図１】
2017165420.tif 000022
【図２】
2017165420.tif 000023
【図３】
2017165420.tif 000024
【図４】
2017165420.tif 000025
【図５】
2017165420.tif 000026
【図６】
2017165420.tif 000027
【図７】
2017165420.tif 000028
【図８】
2017165420.tif 000029
【図９】
2017165420.tif 000030
【図１０】
2017165420.tif 000031
【図１１】
2017165420.tif 000032
【図１２】
2017165420.tif 000033
【図１３】
2017165420.tif 000034
【図１４】
2017165420.tif 000035
【図１５】
2017165420.tif 000036
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
巻き締め部において缶体と結合された蓋板を備え、舌根部と連なり舌片状に周囲を抜いた舌片部の中央部で留め金により上記蓋板に固定され、上記蓋板の一部を開口させるためのスコア線で囲まれた開口部を押し開けるための前方端と、上記前方端を上記開口部に押し当てて開口させる操作を行うための後方端があり、上記蓋板の上記巻き締め部より内側に位置するよう構成されたタブを備え、上記タブの前方端と後方端の中間部に、力が加わると上に凸の山形に折れ曲がる折れ曲がり部が設けられているとともに、上記後方端と上記蓋板の上記後方端と対向する部分との間に、上記後方端を上記蓋板方向に押し下げるための隙間が設けられているとともに、上記折れ曲がり部と上記後方端の間に位置し、その位置を支点として上記タブを支持する支持手段が設けられているとともに、上記支持手段と上記タブの後方端の間に位置し、上記タブの上部から上記タブを押し下げるような力がたまたま、意図せずに加わった場合でもその位置で上記タブの後方端部を支え、上記タブの後方端部の上記蓋板方向への押し下げを阻止する支持体を有するとともに、上記タブの後方端部を前方に押すことにより上記タブの後方端部が前進可能に構成され、上記留め金で上記蓋板に固定された上記タブの蓋板との結合部から上記舌根部までの部分が、上記舌根部に前方に向かう力が加わると倒れるとともに上記後方端が前進することができるように立ち上がり部を構成し、上記タブの上記後方端から上記支持体との接触部までの距離は、上記後方端が前進可能な距離よりも小さく設定したことを特徴とする缶蓋
【請求項２】
巻き締め部において缶体と結合された蓋板を備え、舌根部と連なり舌片状に周囲を抜いた舌片部の中央部で留め金により上記蓋板に固定され、上記蓋板の一部を開口させるためのスコア線で囲まれた開口部を押し開けるための前方端と、上記前方端を上記開口部に押し当てて開口させる操作を行うための後方端があり、上記蓋板の上記巻き締め部より内側に位置するよう構成されたタブを備え、上記タブの前方端と後方端の中間部に、力が加わると上に凸の山形に折れ曲がる折れ曲がり部が設けられているとともに、上記後方端と上記蓋板の上記後方端と対向する部分との間に、上記後方端を上記蓋板方向に押し下げるための隙間が設けられているとともに、上記折れ曲がり部と上記後方端の間に位置し、その位置を支点として上記タブを支持する支持手段が設けられているとともに、上記支持手段と上記タブの後方端の間に位置し、上記タブの上部から上記タブを押し下げるような力がたまたま、意図せずに加わった場合でもその位置で上記タブの後方端部を支え、上記タブの後方端部の上記蓋板方向への押し下げを阻止する支持体を有するとともに、上記タブの後方端部を前方に押すことにより上記タブの後方端部が前進可能に構成され、上記タブの一部に、屈曲することによりタブの後方端部の前進を許すための屈曲部を有し、上記タブの後方端と上記支持体との距離は、上記後方端が前進可能な距離よりも小さく設定したことを特徴とする缶蓋
【請求項３】
巻き締め部において缶体と結合された蓋板を備え、舌根部と連なり舌片状に周囲を抜いた舌片部の中央部で留め金により上記蓋板に固定され、上記蓋板の一部を開口させるためのスコア線で囲まれた開口部を押し開けるための前方端と、上記前方端を上記開口部に押し当てて開口させる操作を行うための後方端があり、上記蓋板の上記巻き締め部より内側に位置するよう構成されたタブを備え、上記タブの前方端と後方端の中間部に、力が加わると上に凸の山形に折れ曲がる折れ曲がり部が設けられているとともに、上記後方端と上記蓋板の上記後方端と対向する部分との間に、上記後方端を上記蓋板方向に押し下げるための隙間が設けられているとともに、上記折れ曲がり部と上記後方端の間に位置し、その位置を支点として上記タブを支持する支持手段が設けられているとともに、上記支持手段と上記タブの後方端の間に位置し、上記タブの上部から上記タブを押し下げるような力がたまたま、意図せずに加わった場合でもその位置で上記タブの後方端部を支え、上記タブの後方端部の上記蓋板方向への押し下げを阻止する支持体を有するとともに、上記タブの後方端部を前方に押すことにより上記タブの後方端部が前進可能に構成され、上記タブは上記蓋板の上面をスライドできるよう上記留め金で固定され、上記タブの後方端と上記支持体との距離は、上記後方端が前進可能な距離よりも小さく設定したことを特徴とする缶蓋
【請求項４】
上記蓋板に設けられた凸部が上記支持手段及び上記支持体を構成し、上記凸部の頂部で上記タブが支持されていることを特徴とする請求項１記載の缶蓋
【請求項５】
上記タブに下向きに設けられた凸部が上記支持手段を構成し、上記蓋板に上記凸部の頂部が支持され、上記蓋板に設けられた凸部が上記支持体を構成し、上記凸部の頂部で上記タブが支持されているように構成したことを特徴とする請求項１記載の缶蓋
【請求項６】
巻き締め部において缶体と結合された蓋板を備え、舌根部と連なり舌片状に周囲を抜いた舌片部の中央部で留め金により上記蓋板に固定され、上記蓋板の一部を開口させるためのスコア線で囲まれた開口部を押し開けるための前方端と、上記前方端を上記開口部に押し当てて開口させる操作を行うための後方端があり、上記蓋板の上記巻き締め部より内側に位置するよう構成されたタブを備え、上記タブの前方端と後方端の中間部に、力が加わると上に凸の山形に折れ曲がる折れ曲がり部が設けられているとともに、上記後方端と上記蓋板の上記後方端と対向する部分との間に、上記後方端を上記蓋板方向に押し下げるための隙間が設けられているとともに、上記折れ曲がり部と上記後方端の間に位置し、その位置を支点として上記タブを支持する支持手段が設けられているとともに、上記支持手段と上記タブの後方端の間に位置し、上記タブの上部から上記タブを押し下げるような力がたまたま、意図せずに加わった場合でもその位置で上記タブの後方端部を支え、上記タブの後方端部の上記蓋板方向への押し下げを阻止する支持体を有するとともに、上記タブの後方端部を前方に押すことにより上記タブの後方端部が前進可能に構成され、上記タブの後方端を押し下げることができるようにくぼみを上記蓋板に形成するとともに、上記くぼみの前方側端縁が上記支持手段を構成し、後方側端縁部が上記支持体を構成し、上記タブは上記蓋板の上記くぼみ部以外の部分とほぼ隙間なく接し、上記タブの後方端と上記支持体との距離は、上記後方端が前進可能な距離よりも小さく設定したことを特徴とする缶蓋